【手続補正書】
【提出日】令和3年10月11日(2021.10.11)
【手続補正１】
【補正対象書類名】特許請求の範囲
【補正対象項目名】全文
【補正方法】変更
【補正の内容】
【特許請求の範囲】
【請求項１】
前方方向および後方方向（ＤＦ，ＤＲ）を画定するシャンク軸ＡＳを有する工具シャンク（７０，１７０，２２８，２５４）と、前記工具シャンクに接続され、インサートシートまたはブレードポケットを備える工具ヘッド（９０，１９０，２３２，４５４，６０９）と、を備える工具ホルダ（６４，１６４，２２４，２４８，２５８，４０４，５０４，６０６）であって、
前記工具シャンク（７０，１７０，２２８，２５４）は、前記シャンク軸ＡＳに垂直な上向き方向および下向き方向（ＤＵ，ＤＤ）を画定し、対向する最上シャンク面および最下シャンク面（７４，７６）と、前記シャンク軸ＡＳならびに前記上向き方向および前記下向き方向（ＤＵ，ＤＤ）に垂直な第一および第二の側部方向（ＤＳ１，ＤＳ２）を画定する第一および第二のシャンク側面（７８，８０）と、を備え、
前記第一のシャンク側面（７８）の少なくとも一部分に隣接して、前記第一のシャンク側面（８６）と前記工具ヘッド（９０）とを接続する、ブレード形状を有する補強部分（８６，１８６，２３４，２５２，２６２，４５２，６０８）があり、
前記工具シャンク（７０，１７０，２２８，２５４）は、前記上向き方向および前記下向き方向（ＤＵ，ＤＤ）に平行で、前記シャンク軸ＡＳに垂直に測定可能なシャンク高さＨＳを有し、
前記補強部分（８６，１８６，２３４，２５２，２６２，４５２，６０８）は、前記シャンク高さＨＳに平行な補強部分高さＨＲを有し、
前記工具ヘッド（９０）に近接する前記補強部分高さＨＲは、前記シャンク高さＨＳよりも高い、工具ホルダ（６４，１６４，２２４，２４８，２５８，４０４，５０４，６０６）。
【請求項２】
ＨＲ≧１．５ＨＳである、請求項１に記載の工具ホルダ（６４，１６４，２２４，２４８，２５８，４０４，５０４，６０６）。
【請求項３】
ＨＲ≧２ＨＳである、請求項２に記載の工具ホルダ（６４，１６４，２２４，２４８，２５８，４０４，５０４，６０６）。
【請求項４】
前記工具シャンク（７０，１７０，２２８，２５４）は、前記上向き方向および前記下向き方向（ＤＵ，ＤＤ）に平行で、前記シャンク軸ＡＳに垂直に測定可能なシャンク高さＨＳを有し、前記補強部分（８６，１８６，２３４，２５２，２６２，４５２，６０８）は、前記上向き方向および前記下向き方向ならびに前記シャンク軸ＡＳに対して垂直に測定可能な補強部分幅ＨＷを有し、前記シャンク高さＨＳは、前記補強部分幅ＨＷよりも大きい、請求項１〜３のいずれか一項に記載の工具ホルダ（６４，１６４，２２４，２４８，２５８，４０４，５０４，６０６）。
【請求項５】
前記工具シャンク（７０，１７０，２２８，２５４）は、その最後端に位置するシャンク後端（１０４）を備え、前記補強部分（８６，１８６，２３４，２５２，２６２，４５２，６０８）は、前記工具ヘッド（９０，１９０，２３２，４５４，６０９）から前記シャンク後端（１０４）まで延在するか、または前記工具ヘッド（９０，１９０，２３２，４５４，６０９）から前記工具シャンク（７０，１７０，２２８，２５４）の中央部分までのみ延在する、請求項１〜４のいずれか一項に記載の工具ホルダ（６４，１６４，２２４，２４８，２５８，４０４，５０４，６０６）。
【請求項６】
補強部分高さＨＲは、前記工具ヘッド（９０，１９０，２３２，４５４，６０９）に隣接して最も高く、そこからの距離が遠くなると、高さ寸法が小さくなる、請求項１〜５のいずれか一項に記載の工具ホルダ（６４，１６４，２２４，２４８，２５８，４０４，５０４，６０６）。
【請求項７】
前記工具ヘッド（９０，１９０，２３２，４５４，６０９）は、前記工具シャンクの前方シャンク部分から前記前方方向および前記下向き方向（ＤＦ，ＤＤ）に延在し、
前記補強部分が前記最下シャンク面よりも、さらに前記下向き方向に延在する、請求項１〜６のいずれか一項に記載の工具ホルダ（６４，１６４，２２４，２４８，２５８，４０４，５０４，６０６）。
【請求項８】
前記工具ホルダの上面図において、前記工具ヘッド（４５４）はテーパ形状を有する、請求項１〜７のいずれか一項に記載の工具ホルダ（４０４）。
【請求項９】
前記ブレードポケット（１９８）またはインサートシートはブレードポケットであり、前記ブレードポケットが、前記上向き方向（ＤＵ）に開口するポケット開口部が形成された周壁（２１０）を備える、請求項１〜８のいずれか一項に記載の工具ホルダ（６４，１６４，２２４，２４８，２５８，４０４，５０４，６０６）。
【請求項１０】
前記ブレードポケットまたはインサートシートは、突切りブレードまたは切削インサートを後方および下方から支持するために、ポケット面（４４４）の最下側および最後側のみに側壁部分（４４０，４４２）を備える、請求項１〜９のいずれか一項に記載の工具ホルダ（４０４）。
【請求項１１】
突切りブレードをさらに備える工具アセンブリの一部であり、ポケットの後端に沿って基本的に上向きに延在する周壁は、前記突切りブレードの高さの大部分まで延在する、請求項１０に記載の工具ホルダ。
【請求項１２】
前記インサートシートまたはブレードポケット（１９８）は、前記工具ヘッド（１９０）の側面（２０８）に位置する、請求項１〜１１のいずれか一項に記載の工具ホルダ（１６４）。
【請求項１３】
ポケット長さＬＰは、最も後方の当接面（６１４）の最後点（６２４）から、前記工具ホルダ（６０６）の最前点（６２８）まで、前記シャンク軸ＡＳに対して平行に定義され、工具ヘッド長さＬＨは、工具ヘッドの後面（６１８）から工具ホルダ（６０６）の最前点（６２８）までシャンク軸ＡＳに平行に画定され、
ポケット長さＬＰが、工具ヘッド長さＬＨよりも長い、請求項１〜１２のいずれか一項に記載の工具ホルダ（６４，１６４，２２４，２４８，２５８，４０４，５０４，６０６）。
【請求項１４】
前記ポケット長さＬＰが、前記工具ヘッド長さＬＨよりも少なくとも１０％長い、請求項１３に記載の工具ホルダ。
【請求項１５】
前記ポケット長さＬＰが、前記工具ヘッド長さＬＨよりも少なくとも２０％長い、請求項１４に記載の工具ホルダ。
【請求項１６】
前記補強部分（８６，１８６，２３４，２５２，２６２，４５２，６０８）は、前記工具シャンク（７０，１７０，２２８，２５４）の下向き方向および上向き方向（ＤＤ、ＤＵ）の両方に延在する、請求項１〜１５のいずれか一項に記載の工具ホルダ（６４，１６４，２２４，２４８，２５８，４０４，５０４，６０６）。
【請求項１７】
請求項１〜１６のいずれか一項に記載の工具ホルダ（４０４，６０６）と、突切りブレードまたは切削インサートとを備える、工具アセンブリ（４００，６００）において、
前記工具ヘッド（４５４，６０９）は、後方に面する工具ヘッド後面（４５８，６１８）と、前記工具ヘッド上に少なくとも部分的に形成され、前記突切りブレード（４０２，６０２）または切削インサートを保持するように構成されたポケット（４５６，６１０）とを備え、
前記突切りブレード（４０２，６０２）または切削インサートが前記ポケットに取り付けられると、前記工具ヘッド後面（４５８，６１８）の後方に延在する、工具アセンブリ（４００，６００）。
【請求項１８】
前記突切りブレード（４０２）を備え、ポケット（４５６）の後端に沿って基本的に上向きに延在する周壁（４４０）は、前記突切りブレード（４０２）の高さの大部分まで延在する、請求項１７に記載の工具アセンブリ（４００）。
【請求項１９】
前記工具アセンブリ（４００）は、前記突切りブレード（４０２）を備え、突切りブレード長さＬｉが、工具ヘッド長さＬＨよりも少なくとも１０％長い、請求項１７または１８に記載の工具アセンブリ（４００，５００，６００）。
【請求項２０】
前記工具アセンブリ（４００）は、前記突切りブレード（４０２）を備え、突切りブレード長さＬｉが、工具ヘッド長さＬＨよりも少なくとも２０％長い、請求項１９に記載の工具アセンブリ（４００，５００，６００）。